Podtech/llm-jp-corpus-v4-ja_patent huggingface dataset:
(57)【要約】      （修正有）【課題】杖から手を離しても杖が倒れないようにしたベルト付き松葉杖を提供する。【解決手段】１対の松葉杖本体１をベルトの長さを調整する調整器具３を有するベルト２で結び、ベルトの先端を杖に固定する接続部分４を前に向けて、ベルト２を首にかけて使用することで、杖から手を離しても杖が倒れないようにする。これにより、扉を開けたり、ポケットや鞄から物を出したりする場合に従来より自由に手を使うことができ、松葉杖使用者の日常生活における制限を軽減できる。【選択図】図１
0003150609.tif 000002
【実用新案登録請求の範囲】
【請求項１】
杖から手を離しても杖が倒れないように、杖同士をベルトで結んだことを特徴とする松葉杖。
【考案の詳細な説明】
【技術分野】
【０００１】  本考案は、２本の杖をベルトで結んだ、松葉杖に関するものである。
【背景技術】
【０００２】  松葉杖を使用中に、扉を開けたり、ポケットや鞄からものを出したりと、手を使用する場合には、片手または両手を杖から離さなければず、その際に杖が倒れることがあった。また、杖が倒れないようにするためには、不安定な体勢をとらなければならなかった。
【考案の開示】
【考案が解決しようとする課題】
【０００３】  常に松葉杖が倒れないように両手で掴んでいなければならない状況は、松葉杖使用者の日常生活にとって、たいへん不便である。また、松葉杖を使用する人は足に何らかの障害を持つ人が多く、過って杖を倒してしまうと、拾うのがたいへん困難である。従って杖から手を離しても、杖が倒れないようにして、前途の課題を解決しようとするものである。
【課題を解決するための手段】
【０００４】  本考案は、一対の松葉杖をベルトで結んで使用することで、杖から手を離す、あるいは過って杖から手が離れた場合でも、杖が倒れるのを防止し、問題を解決するものである。
【考案の効果】
【０００５】  上述の様に、本考案のベルト付き松葉杖は、手を離しても杖が倒れることがないので、扉を開けたり、ポケットや鞄からものを出したりといった場合に従来より自由に手を使うことができ、松葉杖使用者の日常生活における制限を軽減できる。
【考案を実施するための最良の形態】
【０００６】  ベルトは柔らかくて伸縮性が少なく切れにくい素材を使用し、調整器具で長さの調節を可能にする。杖のベルト接続部分を前に向けて、ベルトを肩ごしに首の後ろにまわした状態で、松葉杖を使って歩いても支障のない程度の長さにベルトを調整して使用する。杖から手を離す場合は、杖が首からぶら下がった状態にする。このときベルトが長過ぎると、杖を握り直す際に届かない場合があるので、ベルトの調整は長過ぎないように気をつける。
【実施例】
【０００７】  以下、添付図面に従って一実施例を説明する。１は松葉杖の本体、２は杖同士を結ぶベルト、３はベルトの長さを調整する調整器具、４はベルトの先端を杖に固定する接続部分である。【０００８】  本考案の一実施例は上記の如き構成からなるものである。使用に際しては、杖のベルト接続部分を前に向けて、ベルトを肩ごしに首の後ろにまわす。松葉杖を握って使用している場合は、ベルトは若干のたるみがある状況になり、歩行に支障はない。片手あるいは両手を杖から離した場合は、手を離した側の杖は首からぶら下がった状態になり、倒れることはない。
【図面の簡単な説明】
【０００９】
【図１】本考案のベルト付き松葉杖の一実施例を示す正面図であり、松葉杖を握っている状態を表わしている。
【図２】松葉杖を握っている状態の側面図である。
【図３】松葉杖から手を離した状態の正面図である。
【図４】松葉杖から手を離した状態の側面図である。
【符号の説明】
【００１０】１  松葉杖本体
２  ベルト
３  ベルトの長さを調整する調整器具
４  ベルトの先端を杖に固定する接続部分
【図１】
0003150609.tif 000003
【図２】
0003150609.tif 000004
【図３】
0003150609.tif 000005
【図４】
0003150609.tif 000006
(57)【要約】      （修正有）【課題】水仕事中の腕に伝わる水滴を防ぐ水滴防止ストッパーを提供する。【解決手段】手首に装着するバンド状の物を設け、指先方向にスカート状に広がった物を接続一体化した事により、全ての水仕事中に伴う水滴防止に役立つ。水滴防止ストッパーを、手首に装着する事で、手首から流れ伝わり始める水滴が、広がったスカート状部位で一早く受け止められる点で、朝シャン・洗顔・等、又、市販既製品へ付け加えれば介護にも広く利用出来る。【選択図】図１
0003150601.tif 000002
【実用新案登録請求の範囲】
【請求項１】
手首に巻くバンド状の物を本体とし、その先にスカート状の物を取り付けて、水仕事中、腕へ流れ伝わる水滴を、防ぎ落とすところを特徴とした水滴防止ストッパー
【考案の詳細な説明】
【技術分野】
【０００１】  本考案は、水仕事中の腕に伝わる水滴を防ぐ為に設けた水滴防止に関するものである。
【背景技術】
【０００２】  全ての水仕事に於て、手首が上がれば上がる程、水滴が腕へ伝わり洋服を濡らしていた。
【考案の開示】
【考案が解決しようとする課題】
【０００３】  水滴防止の為、腕まくりしても容しゃ無く濡れるので、手首にこのストッパーを装着して、その位置から流れ伝わる水滴を受け落とす事で解決しようとするものである。
【課題を解決するための手段】
【０００４】  本考案は、手首に装着するバンド状の物を設け、指先方向にスカート状に広がった物を接続一体化した事により、問題点を解決している。
【考案の効果】
【０００５】  上述の様に、本考案の水滴防止ストッパーを、手首に装着する事で、手首から流れ伝わり始める水滴が、広がったスカート状部位で一早く受け止められる点で、朝シャン・洗顔・等、又、市販既製品へ付け加えれば介護にも広く利用出来役立つ物である。
【考案を実施するための最良の形態】
【０００６】  脱着可能のバンドにスカート状の水滴受け口を接続し、この一体化した物を手首に装着する。繊維素材の時スカート状部を二重とし、外側丈を内側丈より僅か短くすると、外側に引張られ更に受け口が広がる。
【実施例】
【０００７】  装着する際の更なる素早さを求めるなら、バンド部を平ゴムでも応用出来る。【０００８】  装着する際の更なる素早さを求めるなら、バンド部を形状記憶平ワイヤーでも応用出来る。
【図面の簡単な説明】
【０００９】
【図１】  本考案の水滴防止ストッパーの装着状態を示す正面図である。
【図２】  本考案の装着状態での側面図である。
【符号の説明】
【００１０】１  水滴防止ストッパー本体
２  バンド
３  水滴受け
【図１】
0003150601.tif 000003
【図２】
0003150601.tif 000004
(57)【要約】      （修正有）【課題】筒状の箸入れにおいて、蓋の着脱容易性を長期にわたり維持可能で、かつ内部の清掃がしやすい構造を提供する。【解決手段】木材を所定の太さの筒状に削りだし、本体とキャップとなる部材を所定の長さで三分割し、キャップとなる部材ａ、ｃについては貫通しない所定の深さと大きさで内部を刳り貫き、本体となる部材ｂは内部を所定の大きさで刳り貫き、更にキャップａ，ｃと本体ｂにねじ山を作り接続させる。この構造により本体とキャップが緩み無く密着した状態に保持可能となり、両端のキャップを外す事で開放し、清掃が簡単に出来るようになる。【選択図】図２
0003150590.tif 000002
【実用新案登録請求の範囲】
【請求項１】
本体の両側をネジ付きキャップにしたことを特徴とする箸入れ。
【請求項２】
前記ネジ付きキャップは、本体の両側にそれぞれ取り付け、両方を取り外すことにより、箸入れの中を簡単に掃除が出来るようにした事を特徴とする請求項１記載の箸入れ。
【考案の詳細な説明】
【技術分野】
【０００１】  本考案は、木材の端材を使って製作した外観に優れ、木の持つ温もりを感じさせ安価で丈夫な木製箸入れの開閉に関するものである。
【背景技術】
【０００２】  従来、箸入れとして、布製、木製、竹製、紙製、プラスチック製、金属製各種の材料から、様々な形状に加工し、様々な塗装・模様を施したもの、更には種々の工夫を凝らしたものが工業的に製造され、市販されている。
【考案の開示】
【考案が解決しようとする課題】
【０００３】  上記従来の箸入れには、それぞれ一長一短があって、簡単に問題点を論じることは出来ないが、例えば箸入れ本体に彫った溝に蓋をスライドさせて、はめ込むようにした物は箸入れ本体或いは蓋に変形を生じると、蓋をはめ込む事が出来なくなる事があったり、また、箸入れ本体に箱状の蓋を被せるようにした物は、蓋が外れないよう箸箱本体外面と蓋内面の隙間を小さくしてきつくすれば、着脱が困難であり、緩くすれば外れやすくなる。さらに本体と蓋をピン状の結束金物で連結し、使用時には止め具を外し、蓋を回転させて開閉する物は止め具の着脱が煩雑であり、長く使う事によりピン状の結束金物部分が緩みガタつくと言う問題点がある。
更にキャップを印籠継とした筒状の箸入れでは、長期使用により緩くなり外れやすくなるなどの問題と、筒状の内部の清掃がしにくく不潔になりやすい。いずれにしても、箸入れ本体と蓋を隙間なく密着させるためには着脱が煩雑であったり、長期に亘り使用すると緩くなったり、内部の清掃が困難であると言う問題点がある。
そこで、この考案は、箸入れ本体とキャップに作ったネジで接合し、長期に亘り使用しても本体とキャップが緩まず、簡単に箸の出し入れと清掃が出来る箸入れを提供することを課題とする。
【課題を解決するための手段】
【０００４】  以上の課題を解決するために、図面を参考にして説明する。本考案は、木材を所定の太さの筒状に削りだし、本体とキャップとなる部材を所定の長さで三分割し、キャップとなる部材ａ、ｃについては貫通しない所定の深さと大きさで内部を刳り貫き、本体となる部材ｂは内部を所定の大きさで刳り貫き、更にキャップａ，ｃと本体ｂにねじ山を作り接続させることにより、本体とキャップが緩み無く密着した状態に保持可能となり、両端のキャップを外す事で容易に開放し、清掃が簡単に出来る事を特徴とする箸いれである。
【考案の効果】
【０００５】  本考案によれば、箸入れ本体とキャップをねじで接続させる事により、箸入れ本体とキャップの開閉が容易で、長期間使用しても箸入れ本体とキャップが緩まず、ねじの締め付け作用で常にしっかり密着し、開閉が簡単で、且つ、キャップと本体を取り外す事で内部の清掃が容易に行え、更に木目により天然素材が持つ美しさ、柔らかさ、温もり、しなやかさ、味わい等の質感に優れたものである。
【考案を実施するための最良の形態】
【０００６】  この考案の一実施形態を、図１に示す。
素材の木目を生かし、本体、キャップとも木目の美しい箸入れを作るため、ａ，ｂ，ｃは欅など、木目の美しい木材を所定の太さで筒状に削りだし、更に所定の長さに切断し、キャップになるａ，ｃは貫通しない所定の深さと大きさで内部を刳り貫き、本体ｂも内部を所定の大きさで刳り貫き、更にキャップと本体にねじ山を作る。【０００７】  キャップａ，ｃは刳り貫いた内部に、本体ｂは、端部にねじ山を作り、双方をねじ込む事により、キャップａ，ｃと本体ｂが緩み無く密着する。なお、キャップａ，ｃは本体ｂのどちら側にも取り付けができ、取り付け方向が限定されるものではない。【０００８】「実施形態の効果」
この実施形態によれば、ねじによる接合のため、キャップと本体が密着し緩みや変形によりキャップと本体が外れやすいとか、キャップができないとかの不具合が発生せず、開閉ならびに箸１の収納、取り出しが極めて容易であるばかりでなく、筒状の箸入れ内部の清掃が容易であり更に、キャップと本体の木目が通り、天然素材が持つ美しさ、柔らかさ、温もり、しなやかさ、味わい等の質感に優れたものである。【０００９】「他の実施形態」
図１の実施形態では、キャップと本体に作ったねじにより接続させたが、他の実施形態では、筒状のキャップと本体を印籠継ぎにしたり、片側からのみ刳り貫き、キャップの代わりにコルクなどを削った栓を用いても良い。
【図面の簡単な説明】
【００１０】
【図１】この考案の一実施形態を示す斜視図である。
【図２】この考案の一実施形態を示す斜視図である。
【符号の説明】
【００１１】    ａ，ｃ      キャップ
ｂ          本体
１０        箸
５０        箸収納空間
【図１】
0003150590.tif 000003
【図２】
0003150590.tif 000004
(57)【要約】      （修正有）【課題】降雨時において発生する舗装版（剥離）の補修による舗装構造を提供する。【解決手段】影響を受けている基層までアスファルト舗装版を取壊し、新規アスファルト混合物を敷設（転圧）し基層３を構築させ、中間層にプレキャスト舗装版（半たわみ性舗装版）８を布設し表層処理１を施す。ヘアークラック（エアーポケット）による舗装版剥離を防ぎ、二次製品を使用する為、夏場の施工（温度管理）も容易になり、施工時間の短縮、及び品質管理においても目標を達成できる。【選択図】図４
0003150582.tif 000002
【実用新案登録請求の範囲】
【請求項１】
影響を受けている基層までアスファルト舗装版を取壊し、新規アスファルト混合物を敷設（転圧）し図４における基層３を構築させ、中間層にプレキャスト舗装版（半たわみ性舗装版）８を布設し表層処理１を施す。
【請求項２】
中間層に半たわみ性舗装版（二次製品）を、用いる舗装構成である。
【請求項３】
前記プレキャスト舗装版（半たわみ性舗装版）とは、空げき率の大きな開粒度タイプの半たわみ性舗装用アスファルト混合物に、浸透用セメントミルクを浸透させたものであり、寸法、形状は緊急的な補修が目的の為、必要最小限の構造で人力により布設する、二次製品である。
【請求項４】
中間層にプレキャスト舗装版（半たわみ性舗装版）を用いる舗装構成であり、基層及び表層の材質については、現場環境により適用する。
【考案の詳細な説明】
【技術分野】
【０００１】本考案は、道路舗装版における剥離面（欠損部）の補修に関するものである。
【背景技術】
【０００２】５月〜８月の雨が多発する時期において、道路舗装面に通行車両の自己荷重、積載荷重、通行振動等が作用し剥離穴（欠損部）が発生する、また、補修方法として既設アスファルト舗装版の破損箇所にアスファルト油化剤を浸透させた後に、浸透部を加熱し、加熱部分に新規アスファルト混合物を平らに敷設して転圧する方法が、従来の施工手段であった（特許文献１）参照。
【特許文献１】特開２００２−４２１３号広報
【考案が解決しようとする課題】
【０００３】上記のように、図１〜図２に示す舗装剥離箇所にアスファルト混合物７を敷設し補修してもヘアークラック（エアーポケット）５が発生している為、降雨時における通行振動により、補修箇所の内空断面に雨水が浸透し、タイヤにより剥離されるのが現況である。
【０００４】さらに、舗装版を４角形状に切断して補修する方法では、４辺が交わる隅角部分に応力が集中しやすく、隅角部の転圧不足において、既設舗装面と新規補修箇所に施工目地（クラック）が発生する。
【０００５】５月〜８月の路面温度は４５°〜５０°に達し、舗装構成図３についてのアスファルト到着温度は１１０°と非常に高温であり、夏場における各層毎の品質管理は困難である。
【課題を解決するための手段】
【０００６】上記課題を解決するためにこの考案が採った手段は、影響を受けている基層までアスファルト舗装版を取壊し、新規アスファルト混合物を敷設（転圧）し図４における基層３を構築させ、中間層にプレキャスト舗装版（半たわみ性舗装版）８を布設し、表層処理１を施す。
【考案を実施するための最良の形態】
【０００７】以下、本考案の実施の形態を図面に基づいて説明する。図１は降雨時における通行振動により補修箇所の内空断面に雨水が浸透し、タイヤにより剥離された断面図である。
ここに、基層３にまで舗装劣化が進んでいるため、図５の舗装版を４角形状に切断し上層路盤４まで掘削する、更に、安定した品質を確保する為、既設舗装（安定版）９まで取壊しを行う。
図６は掘削完了後の上層路盤４にアスファルト油化剤１０を塗布しアスファルト混合物により敷設を行い、不偏転圧（施工後の沈下）を防ぐ為、均し鉄板１１を用い、転圧機１２により転圧し基層３を構築する。【０００８】次に、図７のプレキャスト舗装版（半たわみ性舗装版）８を布設し、間隙１３確保の為スペーサー１４を配置し図８に示すアスファルト細粒（間詰材）１７の均等敷均し（締固）が可能となり、アスファルト系（防水剤）１５の施工も容易となった。【０００９】続いて、図８において基層３との圧密を考慮しながら、炭素繊維とアスファルト油化剤が１一体構造で形成されているクラック防止シート１６を設置し、転圧版１８上にローラー１９で静荷重を加え図９により、プレキャスト舗装版（半たわみ性舗装版）にアスファルト油化剤１０を塗布し、アスファルト混合物を敷設（転圧）し表層１を完成させる。
【考案の効果】
【０００１０】以上説明したように、請求項１記載の考案によりヘアークラック（エアーポケット）による舗装版剥離を防ぎ、請求項２記載における二次製品を使用する為、夏場の施工（温度管理）も容易になり、施工時間の短縮、及び品質管理においても目標を達成した。
【図面の簡単な説明】
【０００１１】
【図１】道路舗装版の剥離（欠損部）の断面図である。
【図２】従来工法（欠損部補修）の断面図である。
【図３】従来工法（３層打換）の断面図である。
【図４】本考案に係わる構造を示す断面図である。
【図５】基層まで取壊した状況図である。
【図６】均し鉄板を使用した転圧状況図である。
【図７】中間層（半たわみ性舗装版）の布設位置を表した、平面図である。
【図８】転圧版（敷板）を用いた、転圧状況図である。
【図９】表層工の転圧状況図である。
【符号の説明】
【０００１２】１−表層
２−中間層
３−基層
４−上層路盤
５−ヘアークラック（エアーポケット）
６−剥離（欠損部）箇所
７−アスファルト舗装（補修）箇所
８−中間層（半たわみ性舗装版）
９−既設舗装版（安定版）
１０−アスファルト油化剤
１１−均し鉄板
１２−転圧機
１３−間隙
１４−スペサー
１５−アスファルト系防水剤
１６−クラック防止シート（炭素繊維）
１７−アスファルト細粒（間詰材）
１８−転圧版（敷板）
１９−転圧機械（ローラー）
【図１】
0003150582.tif 000003
【図２】
0003150582.tif 000004
【図３】
0003150582.tif 000005
【図４】
0003150582.tif 000006
【図５】
0003150582.tif 000007
【図６】
0003150582.tif 000008
【図７】
0003150582.tif 000009
【図８】
0003150582.tif 000010
【図９】
0003150582.tif 000011
【手続補正書】
【提出日】平成21年2月18日(2009.2.18)
【手続補正１】
【補正対象書類名】実用新案登録請求の範囲
【補正対象項目名】全文
【補正方法】変更
【補正の内容】
【実用新案登録請求の範囲】
【請求項１】
中間層に半たわみ性舗装版を、用いる舗装構造。
(57)【要約】      （修正有）【課題】座して移動を可能にした歩行具を提供する。【解決手段】体重を支えるのに杖では不安、車椅子は大きな両車輪がかえって不便な際がある。サドルに跨がり体重を支えながら自歩行が可能であり且つ、簡便である。堅牢なフレーム支柱の上部にサドルを設置し、フレームの下方にキャスターを取り付け、サドルに跨がって自歩行する移動具である。【選択図】図４
0003150586.tif 000002
【実用新案登録請求の範囲】
【請求項１】
本考案は、車輪付歩行具である。
【考案の詳細な説明】
【技術分野】
【０００１】本考案は、フレームの上部にサドル、下方のフレームに、キャスターを取り付けたものである。
【背景技術】
【０００２】従来は、手押し車か杖に頼るしかなかったが、本考案は座して移動を可能にしたものであるので、体重の負担を軽減するものである。
【考案の開示】
【考案が解決しようとする課題】
【０００３】足腰に弱点を持つ人々は様々である。又、種々な補助具もあるが、本発明は座して歩行が可能な利点である。
【課題を解決するための手段】
【０００４】本考案は、杖では不安定、電動車の使用ほどでもないと思える人々にとって考案されたものである。
【考案の効果】
【０００５】本考案は、座して体重を支えるが、自歩行動によって脚力の使用の保持によって筋力の維持が期待されるのである。
【実施例】
【０００６】堅牢なフレーム支柱の上部にサドルを設置し、フレームの下方にキャスターを取り付け、サドルに跨がって自歩行する移動具である。
【図面の簡単な説明】
【０００７】
【図１】本考案の平面図である。
【図２】本考案の側面図である。
【図３】本考案の正面図である。
【図４】本考案のイラストである。
【図１】
0003150586.tif 000003
【図２】
0003150586.tif 000004
【図３】
0003150586.tif 000005
【図４】
0003150586.tif 000006
【手続補正書】
【提出日】平成21年2月16日(2009.2.16)
【手続補正１】
【補正対象書類名】実用新案登録請求の範囲
【補正対象項目名】全文
【補正方法】変更
【補正の内容】
【実用新案登録請求の範囲】
【請求項１】
堅牢なフレーム支柱の上部にサドルを設置し、フレームの下方にキャスターを取り付け、サドルに跨がって自歩行する車輪付歩行具。
(57)【要約】      （修正有）【課題】ビニール袋の代替となる紙袋で、なお且つ紙の欠点である破れ易い箇所、縁や角等を補強した紙袋を提供する。【解決手段】中味の見える紙といえば、ビニールより透明度は劣るが、トレーシングペーパーである。このトレーシングペーパーを中味の見える紙袋として使用する。紙袋の破れ易い箇所の補強としては、符号１・符号２・符号３の箇所に、ＣＯ２の発生しない接着剤で、紙袋出し入れ口の縁符号１と符号２と、両角符号３をコーテイングして、紙袋を補強する。【選沢図】図１【実用新案登録請求の範囲】
【請求項１】
中味の見えるトレーシングペーパーを加工した紙袋。
【請求項２】
紙袋を接着剤で、塗装又は吹き付けし、コーテイングによる紙袋の補強。
【考案の詳細な説明】
【技術分野】
【０１】  この紙袋は、ビニール袋の代替となる紙袋で、なお且つ紙の欠点である、破れ易い箇所縁や角等を補強した紙袋である。
【背景技術】
【０２】  従来の透明な袋といえば、ビニール袋である。郵便局の切手やハガキ等の入れて、渡たす袋もビニール袋である。
銀行の通帳類の袋や、役所の保険証袋もビニール袋である。【０３】  紙袋の破れを防ぐ方法としては、折り重ねて補強している。
又ビニール系の樹脂でコーテイングしてあるものもある。
【考案が解決しようとする課題】
【０４】  地球温暖化の抑制と次世代に化石燃料の遣産、二酸化炭素ＣＯ２の削減のため、ビニール袋のような中味の見える紙袋と、紙の欠点である破れ易さの補強。
【課題を解決するための手段】
【０５】  中味の見える紙といえば、トレーシングペーパーである。
このトレーシングペーパーを、図１と図３のような紙袋とする。
【０６】  トレーシングペーパーを図１、図３の袋に加工した時、紙袋の出し入れ口の縁と角の部分、符号１と符号２の箇所と符号３の両角が、特に弱く破れるヒン度が多い。
【０７】  そこでトレーシングペーパーの破れ易い箇所に、地球温暖化に影響のない、二酸化炭素ＣＯ２の排出しない接着剤を両面から塗布しコーテイングし補強する。又図１と図３の符号３の出し入れ口の角の箇所は、接着剤で覆いコーテイングして一体化させ補強する。
【考案の効果】
【０８】  トレーシングペーパーを紙袋にすることにより、ビニール袋の削減により、二酸化炭素ＣＯ２の削減、化石燃料の次世代への遣産と地球温暖化の抑制に貢献出来る。
【考案を実施するための最良の形態】
【０９】  加工するトレーシングペーパーの寸法の倍のトレーシングペーパー図２を符号４の箇所より、二つ折りにし重ね合わせると、
図１の中味の見えるトレーシングペーパー袋になるのと、トレーシングペーパーを図４の形に加工し、図４の線を右側符号５の箇所を内側に折り曲げ、次に符号６の箇所を外側に、符号４の線の箇所から折り曲げ、重ね合わせた後に、符号８のフタの箇所を、図３の符号６の箇所と符号５の箇所に重ね合せると、図３のトレーシングペーパーの袋になる。【１０】  紙袋の破れ易い符号１、符号２の箇所えの補強は、図１の袋に出来上る前、図２の段階で接着剤を塗布又は、吹き付けするとよい。最も破れ易い符号３の両角は、紙袋として出来上つた図１図３の後に、接着剤を内側外側吹き付け塗布して、コーテイングするとより強固な補強が出来る。
【実施例】
【０１１】  図２のトレーシングペーパーを、真中符号４の箇所より２つに折り曲げると、図１のトレーシングペーパーの袋になる。
次に図１のトレーシングペーパーの、両側符号５と符号６の箇所を、接着剤で張り合わせると、中味の見える紙袋図１になる。【０１２】  図４のトレーシングペーパーを、符号４箇所を左右から横に折り曲げ中心部で、図３の符号５に符号６を重ね合せ、接着剤で張り付ける。次に下部のフタ部符号８の箇所を、図３の符号６符号５の箇所に、接着剤で下部のフタ符号８を張り付けると、図３の中味の見えるトレーシングペーパーの紙袋になる。【０１３】  図１と図３のトレーシングペーパー袋の一番破れ易く弱い箇所といえば、符号１と附号２の出し入れ口の箇所と、符号３の紙袋の両側である。【０１４】  符号１の箇所と符号２の箇所は、図３と図４の袋に加工する前の段階で、符号１の箇所と符号２の箇所の両側の部分に、接着剤を塗布するか吹き付けて、コオーテイングし補強する。【０１５】  符号３の両角の箇所は、紙袋に加工した後図１と図３の紙袋の状態で、符号３の角の内と外の部分が、一体化するように接着剤を塗布するか、吹き付けて覆いコオーテイングして補強する。
【産業上の利用可能性】
【０１６】  郵便局では、切手類や印紙・ハガキ等は、現在ビニール袋に入れお客に渡している。又銀行は通帳類を、役所では保険証類を、ビニール袋に入れ使用している。ビニールより透明度は劣るが、トレーシングペーパー袋で代替出来る。【０１７】  書籍類を送付している包装は、ビニール包装であるが、トレーシングペーパー袋で、発送することが出来る。
これらのビニール袋の削減により、化石燃料を次世代に遣産と、二酸化炭素ＣＯ２の削減と、地球温暖化の抑制に貢献出来る。
【図面の簡単な説明】
【図１】  紙袋の斜視図
【図２】  両サイドでノリ付する、紙袋の組立平面図。
【図３】  紙袋の斜視図。
【図４】  袋の中心で重ね合せ、ノリ付する紙袋の組立平面図。
【符号の説明】
１は袋の出し入れ口の外側である。
２は袋の出し入れ口の内側である。
３は袋の出し入れ口の角である。
４は折り曲げ箇所である。
５はノリ付け箇所で、重なり合う箇所である。
６は左側のノリ付け箇所で、重なり合う箇所である。
７は上部のフタである。
８は下部のフタてある。
【図１】
0003150588.tif 000002
【図２】
0003150588.tif 000003
【図３】
0003150588.tif 000004
【図４】
0003150588.tif 000005
【手続補正書】
【提出日】平成21年2月18日(2009.2.18)
【手続補正１】
【補正対象書類名】実用新案登録請求の範囲
【補正対象項目名】全文
【補正方法】変更
【補正の内容】
【実用新案登録請求の範囲】
【請求項１】
トレーシングペーパーを使用した、中味の見える紙袋。
(57)【要約】      （修正有）【課題】手帳に脱着式にて追加収納機能を付加させるための袋状携帯物を提供する。【解決手段】収納部分を手帳・ノート類と分離独立させ、かつ脱着式にすることにより収納部分の形状デザインをより自由に設計する事が可能となる。サイズの違う商品に適用できるよう、ベルト部分に長さの調節可能な金具を付けるか、伸縮可能なゴムを使用することを特徴とする。【選択図】図４
0003150583.tif 000002
【実用新案登録請求の範囲】
【請求項１】
各種手帳に脱着式で追加収納を可能にする収納具。
【請求項２】
各社のサイズの違う商品に適用できるよう、ベルト部分に長さの調整可能な金具を付けるか、伸縮可能なゴムを使用することを特徴とする請求項１記載の収納具。
【考案の詳細な説明】
【技術分野】
【０００１】  本考案は、手帳に脱着式にて追加収納機能を付加させるための袋状携帯物の形状に関するものである。
【背景技術】
【０００２】  従来の手帳は、図１および図２が示すように、収納機能としては数枚の名刺またはカードと筆記具を１本乃至２本を収納すると限界に達するものが一般的であった。まれに図３のように収納ポケットが一体化された手帳も存在するが、収納された筆記具により筆記時の安定感を欠くという問題が残る。
【考案の開示】
【考案が解決しようとする問題】
【０００３】  しかし、以上の技術によれば、図２の内ポケット部分に限界以上の収納を実行した場合、収納物の落下の可能性を高め、あるいは図３のポケット内に筆記具等を収納した場合は筆記に必要な安定感を阻害する事となりがちであった。
【課題を解決するための手段】
【０００４】  以上の課題を解決するために、第一考案は収納部分と手帳を脱着式にすることによって、筆記時に安定感を確保し、かつ収納機能を十分に確保することを特徴とする収納具である。
【考案の効果】
【０００５】  第一考案によれば、筆記時の安定感を気にすることなく収納部分の形状を自由にデザインする事が可能になる。
【考案を実施するための最良の形態】
【０００６】  この考案の一実施形態を、図４に示す。収納部とベルト部分が一体化されている。
【実施例】
【０００７】  「実施形態の効果」
この実施形態によれば、収納部に筆記具があったとしても脱着式のため、筆記時に安定感を阻害する事は無い。また、収納部の形状も自由にデザイン可能である。【０００８】  「他の実施形態」
図４の実施形態では、収納部をペンケースの形状にしているが、メモカバーやカードケースを付加することも可能である。またベルト部分は長さ調整付きの金具を使用することも有り得る。
【図面の簡単な説明】
【０００９】
【図１】従来技術を示す斜視図である。一般的な手帳を閉じたときの形状を示す。
【図２】従来技術を示す斜視図である。一般的な手帳のカバー部分を広げた形状を示す。
【図３】従来技術を示す斜視図である。一般的な手帳に収納機能を付加したカバー部分を示す。
【図４】この考案の一実施形態を示す斜視図である。
【符号の説明】
【００１０】ａ  ペン差し
ｂ  カード用ポケット
ｃ  ジッパー付ポケット
１  収納部分
２  ゴム
【図１】
0003150583.tif 000003
【図２】
0003150583.tif 000004
【図３】
0003150583.tif 000005
【図４】
0003150583.tif 000006
【手続補正書】
【提出日】平成21年2月20日(2009.2.20)
【手続補正１】
【補正対象書類名】実用新案登録請求の範囲
【補正対象項目名】請求項１
【補正方法】変更
【補正の内容】
【請求項１】
袋状収納具にベルトを付加することにより、各種手帳に脱着式で追加収納を可能にする収納具。
(57)【要約】      （修正有）【課題】ガラス板の表面にプリントする事により、柄の細かい細工までの表現を可能にし、使用する天然石自体の量に合わせ柄の大きさを合わせる事で使用する天然石自体の量を均一にした額装品を提供する。【解決手段】天然ダイヤモンド３を使用した額であって、布張り５の台紙６に天然ダイヤモンド３を円形又は多角形状に設置し天然ダイヤモンドを設置した上に柄を表面にプリントしたガラス板を乗せ、額にセットすることにより額装品を構成する。【選択図】図１
0003150589.tif 000002
【実用新案登録請求の範囲】
【請求項１】
天然石を使用した額装品であって
布張りの台紙に天然石を円形  又は多角形状に設置し
その上に柄を表面にプリントした透明板を乗せ額にセットしたことを
特徴とする額装品。
【請求項２】
天然石かダイヤモンドである請求項１記載の額。
【請求項３】
柄を表面にプリントした透明板がシルクスクリーン法で製造した透明板である
請求項１又は４記載の額装品。
【請求項４】
柄を表面にプリントした透明板がガラス板である
請求項１記載の額装品。
【考案の詳細な説明】
【技術分野】
【０００１】本考案は、天然ダイヤモンド等を利用し額装品に関する。
【背景技術】
【０００２】珊瑚、べっ甲、パール、などを使用し、各パーツごとに張り合わせて家紋等に成型したものはあったが柄をプリントした透明板を使用し、家紋等の全体を表示出来るようにした額装品はなかった。
【考案の開示】
【考案が解決しようとする課題】
【０００３】従来の額装品は素材自体のパーツを組み合わせ柄を表現していた為、細部の細工が難しく複雑な形状の柄を表現することは困難であった。
又、素材自体のパーツを組み合わせて表現する為、使用する柄により素材の量なども均一ではなかった。
【課題を解決するための手段】
【０００４】上記の目的を果たすために開発された本考案は、天然ダイヤモンド等を使用した製品であり天然ダイヤモンド等をセットし、透明板表面に柄をプリントしたものをセットした天然ダイヤモンド等の上に乗せ柄の表現をし、又、柄は使用する天然ダイヤモンドの量に合わせガラス板にプリントし柄の大きさを変える為、天然ダイヤモンドの量は均一を特徴とする額装品。
【考案の効果】
【０００５】本考案の額装品の中心部の形状および大きさについては、特に限定はなく、例えば四角に限らず丸い形状にしても良い。【０００６】天然石としては、特に限定されないが天然ダイヤモンドは光沢に優れており特に好ましい。【０００７】本考案のガラス板  表面部分のプリントの色に関しましては、黒に限らず他のカラーを使用する事が出来る。【０００８】本考案のガラス板  表面部分のプリント（柄）に関しましては、家紋柄、ロゴマーク、企業ロゴ、干支、梵字、縁起柄、などの柄にしても良い。【０００９】天然石  又は金箔は台紙の布の上に直接、設置しても良いが間にアルミニウムを加工したシルバーラメチップフレーク等を介して設置しても良い。
【考案を実施する為の最良の形態】
【００１０】次に実施例により本考案をさらに詳細する。
【００１１】台紙５と布４とをボンドで接着しその上の中心近くに天然ダイヤモンドを乗せる為のシルバーラメチップフレーク３をボンドで張りつけ、シルバーラメチップのフレーク上に粒状の天然ダイヤモンド２を円柱状  又は多角形状にうすく敷き詰めた。
敷き詰めたダイヤモンドの上にシルクスクリーン法をにより柄を表面にプリントしたガラス板を乗せ、台紙とガラス板をシールテープで張り合わせ、一体化にし額にセットした額装品。
【図面の簡単な説明】
【００１２】
【図１】額装品の中心部の形状を示す側面図である。
【図２】額装品の中心部の形状を示す平面図である。
【符号の説明】
【００１３】１＝シルクプリント層
２＝ガラス板
３＝天然ダイヤモンド
４＝シルバーラメチップフレーク
５＝布
６＝台紙
７＝柄がプリントされたガラス板
８＝ガラス板越しに見える天然ダイヤモンド
【図１】
0003150589.tif 000003
【図２】
0003150589.tif 000004
【手続補正書】
【提出日】平成21年2月18日(2009.2.18)
【手続補正１】
【補正対象書類名】実用新案登録請求の範囲
【補正対象項目名】全文
【補正方法】変更
【補正の内容】
【実用新案登録請求の範囲】
【請求項１】
天然石を使用した額装品であって
布張りの台紙に天然石を円形  又は多角形状に設置し
その上に柄を表面にプリントした透明板を乗せ額にセットしたことを
特徴とする額装品。
【請求項２】
天然石がダイヤモンドである請求項１記載の額装品。
【請求項３】
柄を表面にプリントした透明板がシルクスクリーン法で製造した透明板である
請求項  １  記載の額装品。
【請求項４】
柄を表面にプリントした透明板がガラス板である
請求項１記載又は３記載の額装品。
(57)【要約】      （修正有）【課題】飲食先での飲食の際、簡単に箸置きが作成でき、材質によっては何度も繰り返し使用できる箸置きを提供する。【解決手段】箸袋の形と素材を不織布かプラスチックに変え、凹凸の折り目を付け紐かゴムを２箇所以上通し、その片方の紐を引っ張る作業により箸置きをお年寄りや子供でも簡単に作成しやすく清潔に使用でき、プラスチック製ならば持ち運びも出来る箸置き。箸置きを作成することにより大切に扱う意識を高め、ひいては少しづつでもゴミを減らすことになる。【選択図】図１
0003150581.tif 000002
【実用新案登録請求の範囲】
【請求項１】
袋の箸の取り出し口と平行に２若しくは２カ所以上の凹凸の折り目が交互に付いており、また、袋の取り出し口と垂直方向に２若しくは２カ所以上の穴が開いており、その穴を全て貫通する紐により構成されていることを特徴とする箸袋及びその製造方法。製法は袋を表裏交互に折っておいてから貫通穴をあけて、折ったまま紐を通す。
【考案の詳細な説明】
【技術分野】
【０００１】
本考案は、飲食先での飲食の際、簡単に箸置きが作成でき、材質によっては何度も繰り返し使用できる箸置きである。
【背景技術】
【０００２】
箸を扱う店舗などが使用する箸袋に、貫通穴を開け  紐を通し一部穴を開け、使う時点で一瞬にして箸置きを作成することができる。追加待機している時など、箸がテーブルの箇所に汁・異物をついてしまうイヤな気分を損なう事なく清潔で子供にも簡単にできる箸置き。紙製だけではなくプラスチック製でも同じで、洗って繰り返し使用可能できる。中に入れるものは箸だけではなくナイフ、フォーク、スプーン等も利用可能。
【０００３】
今までの店舗先の箸等は、箸を直前で箸袋から出し食事をしていました。しかし、店先で食事を追加した後の待機の時間あるいは持参した弁当類の自分の箸はテーブルの上に置いた際、汁物ならば食卓に汁等が付着する為、ちょっとした紙等の上か近辺の食器の上に置いていた。これは店の人が空き食器をさげる際、箸に引っかかり又新しく箸をおろすのでゴミが増える。高級料亭では箸置きを陶器やガラスで迎える店もあるが欠けやすい為、洗う作業をなくし拭いて使用しているのが現実。これは不衛生である。飲食店での酔った客が多い場所での箸の使用数は追加注文が多い為、人数分よりあきらかに多く箸を使用するので可燃ゴミが増えます。箸置きが粗末になると居酒屋などの酔った客が多い場所では箸の扱いが粗雑になり、落としたり、席を移動したりした際に又新しく箸をおろせばいいという意識が存在し結果的に可燃ゴミが増える事になりかねません。
【０００４】
箸の袋に印刷した折るタイプの箸置きも問題があり消費者が折る行為に関し、目的が箸折りを作成しに来ているのではなく空腹で何かを食べに来ているのだから人間の心理的にもそんな時に箸置きを率先して折ろうとは考えにくい。汁物ならば素材は「紙」だから吸収して潰れてしまう。テーブルに食物がついてしまったら箸置きの意味がなくなる。折る上げる人は少なく折るだけならそれこそ自分の感性で適当に折り完成させる人の方が早くわざわざ印刷する意味が分かりづらい。印刷するだけ無意味と言える。特にサラリーマン達の間では商談するであろう前に、コソコソ折る行為自体  相手に不快感を与えかねない。
【０００５】
この改善策として、袋の両端に貫通穴を２箇所以上の穴を開ける必要があり素材は不織布製かプラスチック製で扇形になるように山型に折り目をつけ、紐を引っ張った時、形が定着するよう仕上げる。この方法で扇形に変形させれば見た目にも綺麗な箸置きが完成する。図１、箸袋を上から見た形態を示す図面、傾斜図である。近年、自分の箸を持参している人も多く実際販売しているプラスチック製の箸の袋もこの形を採用すると箸置きと共に単品として持ち運びが簡単に利用でき、洗って何度も使用できる。
【特許文献１】特開平６−１２１７２８平成６年（１９９４）５月６日  特開平５−３１０１８平成５年（１９９３）２月９日
【非特許文献１】ベンチャーリンク「発明と実用性」
【考案の開示】
【考案が解決しようとする課題】
【０００６】
解決しようとしている問題点は箸置きを折って作成する際、転がりやすく安定感がなく、子供では難しくて折れない、使っているうちにつぶれてしまい、単純な形の箸置きならば素材は「紙」だから汁モノなら吸収して潰れてしまう。テーブルに食物がついてしまったら箸置きの意味がなくなる。更に印刷してある箸置きは折り上げて完成させる人は少ないので紐を引っ張るだけで一瞬にして箸置きを完成させる。
【課題を解決するための手段】
【０００７】
本考案は、箸袋の片方に貫通穴を一度に開け、紐を一度に通し、紐を引っ張り、凹凸の折り目が付けてあるので箸置きとして利用する。扇形として形を固定するので見た目も綺麗。紙製だけでなくプラスチック製も製法は同様で、繰り返し何度も洗って使えるものは貫通穴に金属製の輪を固定して付け紐をゴム製に変え、ゴム紐部分が伸縮して邪魔にならないのが特徴的。途中で箸を置いて中座する際など非常に便利に扱える。
【考案の効果】
【０００８】
本考案は最初から最後まで自分の箸を使用すれば可燃ゴミは極力減らす事が出来るわけで新しく箸を卸す行為は不必要となりむしろ経済的という利点がある。形や素材を従来より変える事により見た目が綺麗だと  そこに置く意識が芽生え話のネタの取っ掛かりとなりコミュニケーションのあまりとれていない相手ならば意思の疎通ができ次の話題が提供しやすくなり、子供やお年寄りにも簡単に作成できる利点もある。素材は不織布ならば燃やした時、有毒ガスも発生せず環境にもやさしい。
【考案を実施するための最良の形態】
【０００９】
箸置きの目的を、実用性や経済的にも消費者に必要性の高い状態で実現した。
【実施例１】
【００１０】
図１は、本考案の１実施例の図で、箸置きを作成させる前と完成後である。
【産業上の利用可能性】
【００１１】
側端部の図１部分の紐を引っ張った際、扇形を完成させ使用する。側端部の紐をゴムに変えれば紐よりも伸縮するので完成した時に余りが少なくて済む。可燃ゴミの減少や又可燃ゴミのリサイクルにもおおいに役立つ。飲食店や自分の持込の箸の袋を箸置きに変化させることによって、テーブル周りの汚れや衛生面でも必要かつ安全で、作成が容易にでき持ち運びとしての用途にも適用できる。
【図面の簡単な説明】
【００１２】
【図１】箸袋の真上図と完成時の図
【符号の説明】
【００１３】
１    箸袋
２    糸製の紐  或いはゴム
【図１】
0003150581.tif 000003
【手続補正書】
【提出日】平成21年3月9日(2009.3.9)
【手続補正１】
【補正対象書類名】実用新案登録請求の範囲
【補正対象項目名】請求項１
【補正方法】変更
【補正の内容】
【請求項１】
袋の箸の取り出し口と平行に２若しくは２ヵ所以上の凹凸の折り目が付いており、また、袋の取り出し口と垂直方向に２若しくは２ヶ所以上の穴が開いており、その穴を全て貫通する紐により構成されていることを特徴とする箸袋。
(57)【要約】      （修正有）【課題】靴下を履く時、足を縮めたり、伸ばしたり、腰を深く曲げたりせずに靴下を履くことが出来る補助具を提供する。【解決手段】コの字型に形成した靴下引っ掛け側板部３と足載底部２からなる本体台板と、当該本体台板と回動自在に接続された長尺状の保持取手４からなり、靴下引掛け側板部には、靴下が、抜けないように段差、靴下引掛け側板部と足載底部の間には、靴下の基部を引っ掛けるための引っ掛け溝部３２を設け、靴下を履くときは、予め靴下をひっくり返して引っ掛け側板部に装填し、保持取手を持ちながら、当該空間に足を挿入することにより靴下を履くことが出来る靴下履き補助具。【選択図】図１
0003150563.tif 000002
【実用新案登録請求の範囲】
【請求項１】
コの字型に形成した靴下引っ掛け側板部と足載底部からなる本体台板と、当該本体台板と回動自在に接続された長尺状の保持取手からなり、靴下引掛け側板部には、靴下が、抜けないように段差、靴下引掛け側板部と足載底部の間には、靴下の基部を引っ掛けるための引っ掛け溝部を設け、靴下を履くときは、予め靴下を側板部に装填し、保持取手を持ちながら、当該空間に足を挿入することにより靴下を履くことを特徴とする靴下履き補助具。
【考案の詳細な説明】
【技術分野】
【０００１】
本発明は体が固く腰部折曲げが不自由で又、股関節等も悪く、一人で靴下が履けない人が椅子に腰かけたまま楽に履ける靴下履き補助具である。
【背景技術】
【０００２】
靴下を履く時、足を縮めたり、伸ばしたり、腰を深く曲げたりして履くがその動きが不自由な為、他人に履かせてもらったりしていた。特に一人の時は非常に困っていた。
特許文献１では、底板を折り曲げ部により二つ折りにした状態で、そこに靴下を差し込み履かせ、足底板を平らにし、柄を手でにぎって、足底板に足のつま先を挿入して、柄を引っ張り、足底板を靴下から外す方法であるが、靴下が、足の先にしか履けない場合が生じていた。
【先行技術文献】
【特許文献】
【０００３】
【特許文献１】特開２００６−１０２４４３
【考案の概要】
【考案が解決しようとする課題】
【０００４】
靴下を履く時、足を縮めたり、伸ばしたり、腰を深く曲げたりせずに靴下を、確実に履くことができる補助具が要望される。
【課題を解決するための手段】
【０００５】
靴下を履く際、先ず足先から入れようとする訳だがそれが難しかった。一人の時は人にも頼めずとても大変だった。本考案は、椅子に腰掛け、足先から楽に、確実に足全体に履くことを可能にする靴下履き補助具である。
【考案の効果】
【０００６】
本発明は腰部が曲げにくく股関節等の不自由により靴下が履きづらい人、他人に履かせてもらう煩わしさがなく椅子に腰かけて楽に履ける。
【図面の簡単な説明】
【０００７】
【図１】靴下装備補助具  全体構成
【図２】靴下装備補助具の使用方法（足を挿入する前の準備）
【図３】靴下装備補助具の使用方法（足を挿入している状態）
【考案を実施するための形態】
【０００８】
本発明の靴下履き補助具は、図１に示すように左右側板からなる靴下引掛け側板部３、足載底部２、保持取手４からなる。靴下引掛け側板部３と足載底部２をあわせて本体台板と呼ぶ。本体台板と保持取手とを簡単に脱着蝶ネジで回動自在に接続している。足載底部２と、靴下引掛け側板部３は、図１のようにコの字型に構成され足が載せ易く、横にずれない構成にしている。靴下引掛け側板部３には、靴下を引っ掛けるため段差を設けた左右の引っ掛け段３１、靴下引掛け側板部３と足載底部２には、靴下５を引っ掛けるための引っ掛け溝３２を設ける。
【０００９】
図２のように、予め、靴下の基部を、靴下引掛け側板部３の左右靴下引っ掛け段３１に引っ掛け、更に、靴下基部を反転させ、靴下引っ掛け側板部３の左右の靴下引っ掛け溝３２に掛ける。
次に図３のように、足をつま先から靴下５に挿入する。その際、靴下に足が入ってゆく際の抵抗と保持取手がお互いに、引っ張り合う形で直線状に力が働き、靴下が外れにくい力が保たれている。更につま先まで入った状態のまま靴下履き補助具を床上に置き、保持取手４を持ち、靴下の先端部まで足先をゆっくり差し入れながら、足先が靴下先端部まで入り込んだら、足首は自然に前方に伸びる。ゆっくり足を戻してくると靴下と一体になった本体台板と保持取手とは直線状態になり、引っ張り合う力はほとんど無くなり、保持取手４を後方上方向に引き上げると、引っ掛け段３１と引掛け溝３２から靴下は外れ装着完了となる。
【産業上の利用可能性】
【００１０】
介護施設、老人ホーム、病院で、腰を曲げて靴下を履くことができない老人等が、本発明の靴下履き補助具を使用することにより楽に靴下を履くことができる。
【符号の説明】
【００１１】
１   靴下履き補助具
２   足載底部
３   靴下引掛け側板部
３１ 靴下引掛け段
３２ 靴下引掛け溝
４   保持取手
５   靴下
５１ 靴下基部
【図１】
0003150563.tif 000003
【図２】
0003150563.tif 000004
【図３】
0003150563.tif 000005
(57)【要約】      （修正有）【課題】整髪作りの練習を重ねることによって毛が短くなり、カット練習できなくなった後でも捨てる「ゴミ」の量をできるだけ少なくすると共に、整髪などの練習時に仮面を人頭模型に固定しているスナップボタンとかピン等に櫛歯の先端が引っ掛かるおそれがすくなく、仕上がりも良くなるものを提供する。【解決手段】全体が軟質合成樹脂からなっていて、人頭模型１を着脱自在に被う大きさの仮面本体２の頭皮部に植毛を施してなる理容・美容練習用仮面において、人頭模型の首側部左右には、人頭模型の表面に突出する頭部周縁の段差を滑らかにし、該頭部が半球状、円錐形状或は台形状で引っ掛かり部を設けて複数本の引掛け鋲３を固定し、一方、仮面本体の切込口の縁に引掛け鋲３に対応して設けた引掛け孔５を設けて引掛け鋲３の頭部に挿入し引っ掛かり部に引っ掛かり自在とし、引掛け鋲３の頭部周縁と仮面本体の表面との段差を可及的に滑らかにした。  【選択図】図１
0003150553.tif 000002
【実用新案登録請求の範囲】
【請求項１】
全体が軟質合成樹脂からなっていて、人頭模型を着脱自在に被う大きさの仮面本体の頭皮部に植毛を施してなる理容・美容練習用仮面において、人頭模型の首側部左右には、人頭模型の表面に突出する頭部周縁の段差を滑らかにし、該頭部が半球状、円錐形状或は台形状で引っ掛かり部を設けて複数本の引掛け鋲を固定し、一方、仮面本体の切込口の縁に前記引掛け鋲に対応して設けた引掛け孔を設けて引掛け鋲の頭部に挿入し引っ掛かり部に引っ掛かり自在とした理美容練習人頭模型用仮面。
【考案の詳細な説明】
【技術分野】
【０００１】
本考案は、人頭模型に被せて理美容の練習をする人頭模型用の仮面に関する。
【背景技術】
【０００２】
従来理容・美容の練習に際しては、頭皮部分に直接植毛した人頭模型が使用されてきたが、カット練習などを重ねることによって毛が短くなり、カット練習などができなくなった後は、人頭模型全体を産業廃棄物（ゴミ）として処分している。又人頭模型に被せて行うものは、植毛を施した仮面を人頭模型に被せて行うものもあるが、人頭模型と仮面との固定手段においてピンを使用している。
【０００３】
然し乍ら人頭模型の素材としては塩化ビニルや内部に充填するウレタン等が使用されているため、焼却処分に際しては有害ガスを発生するなど公害問題を起こすおそれがあり、又仮面においては整髪などの練習時に仮面がずれ動いたり櫛歯の先端がピンに引っ掛かるおそれがあり練習し難いばかりか仕上がりも悪くなるおそれがある。
【考案の概要】
【考案が解決しようとする課題】
【０００４】
そこで本考案は、理容・美容のカットして整髪作りの練習を重ねることによって毛が短くなり、カット練習できなくなった後でも産業廃棄物として捨てる「ゴミ」の量をできるだけ少なくすると共に、仮面においては整髪などの練習時に仮面を人頭模型に固定しているスナップボタンとかピン等に櫛歯の先端が引っ掛かるおそれがすくなく、仕上がりも良くなるものを提供しようとするものである。
【課題を解決するための手段】
【０００５】
全体が軟質合成樹脂からなっていて、人頭模型を着脱自在に被う大きさの仮面本体の頭皮部に植毛を施してなる理容・美容練習用仮面において、人頭模型の首側部左右には、人頭模型の表面に突出する頭部周縁の段差を滑らかにし、該頭部が半球状、円錐形状或は台形状で引っ掛かり部を設けて複数本の引掛け鋲を固定し、一方、仮面本体の切込口の縁に前記引掛け鋲に対応して設けた引掛け孔を設けて引掛け鋲の頭部に挿入し引っ掛かり部に引っ掛かり自在とし、引掛け鋲の頭部周縁と仮面本体の表面との段差を可及的に滑らかにしたものである。
【考案の効果】
【０００６】
本考案の効果として、理容・美容のカット、整髪錬習で毛が短くなり使用できなくなった後でも産業廃棄物として捨てる「ゴミ」の量を環境に配慮しできるだけ少なくでき、又整髪練習時などには仮面本体と人頭模型を固定している引掛け鋲の突出部周縁に櫛歯の先端が引っ掛かるおそれがすくなく、また仮面本体はずれ動くことなくスムーズなカット、整髪等の練習ができ仕上がりもよくなる。
【実施例】
【０００７】
全体が軟質合成樹脂からなっていて、人頭模型１を着脱自在に被う大きさの仮面本体２の頭皮部に植毛を施してなる理容・美容練習用仮面において、人頭模型１の首部左右には、人頭模型1の表面に突出する頭部３’周縁の段差を滑らかにし、該頭部３’が半球状、円錐形状或は台形状で引っ掛かり部３”を設けて複数本の引掛け鋲３、３を固定し、一方、仮面本体２の切込口４の縁に前記引掛け鋲３、３に対応して設けた引掛け孔５、５を設けて引掛け鋲３の頭部３’に挿入して引っ掛かり部３”に引っ掛かり自在とし、引掛け鋲３の頭部３’周縁と仮面本体の表面との段差を可及的に滑らかにしたものである。
【０００８】
人頭模型1から仮面本体２を剥がすには、仮面本体２の切込口４の下縁部分を持って引掛け孔５,５を引掛け鋲３の引っ掛かり部３”・頭部３’から強制的に引き離すようにする。
人頭模型１に被せるには、反対に切込口４を前後に開いて被せるが、引掛け孔５,５を対応する引掛け鋲３,３の頭部に仮面本体２の弾力に抗して強制的に挿入し引っ掛かり部３”に引掛ける。引掛け孔５,５の内周縁の厚さは引っ掛かり部３”に密入する厚さにしておく。尚図面では鋲引掛け鋲３の中間に鍔部を設けて引っ掛かり部３”を設けているがは、引掛け鋲３自体の人頭模型１への埋め込み度合いを加減して固定してもよいこと勿論である。
【０００９】
理美容練習後の仮面本体２は、人頭模型１より前述のようには剥がし、廃棄処分とする。もちろん理美容練習途中でも仮面本体２を交換して使用することもできる。
【図面の簡単な説明】
【００１０】
【図１】本考案理美容練習人頭模型用仮面の側面説明図。
【図２】図１のＡ−Ａ線拡大断面説明図。
【符号の説明】
【００１１】
１：人頭模型
２：仮面本体
３：引掛け鋲
３’：頭部
３”：引っ掛り部
４：切込口
５：引掛け孔
【図１】
0003150553.tif 000003
【図２】
0003150553.tif 000004